(57)【要約】【課題】再生または編集時における不要と思われる画像を自動的に省く。【解決手段】撮像手段の出力を連続的に読み出して表示用画像及び、動画記録用画像を生成する動画画像生成手段と、前記表示用画像の一時記憶及び、前記記録用動画像を蓄積記憶する記憶手段と、表示用画像を表示する表示手段と、蓄積記憶した記録用動画像を記録媒体に記録する記録手段と、不要画像を検出する検出手段と、動画の撮影指示を行う撮影指示手段とを備え、表示用画像を生成して表示すると共に、動画撮影指示に応じて、記録用動画像を生成して蓄積記憶し、記録媒体に記録する画像記録再生装置において、前記検出手段の出力を所定レベルに分類し、記録する動画に所定の単位で前記分類されたレベルを埋め込んで記録する。【選択図】図７
2016009968.tif 000002
【特許請求の範囲】
【請求項１】
被写体像を形成する光学系と、
該光学系により形成された光学像を電気信号に変換する撮像手段と、
該撮像手段の出力を連続的に読み出して表示用画像及び、動画記録用画像を生成する動画画像生成手段と、
前記表示用画像の一時記憶及び、前記記録用動画像を蓄積記憶する記憶手段と、
表示用画像を表示する表示手段と、
蓄積記憶した記録用動画像を記録媒体に記録する記録手段と、
不要画像を検出する検出手段と、
動画の撮影指示を行う撮影指示手段とを備え、
表示用画像を生成して表示すると共に、動画撮影指示に応じて、記録用動画像を生成して蓄積記憶し、記録媒体に記録する画像記録再生装置において、前記検出手段の出力を所定レベルに分類し、記録する動画に所定の単位で前記分類されたレベルを埋め込んで記録することを特徴とする記録装置。
【請求項２】
前記検出手段は、前記画像記録装置の振動や大きな画角変化を検出する画角変化検出手段、画面内の輝度分布を検出する輝度分布検出手段、被写界の合焦状態を検出する合焦検出手段のいずれか或いは、組合せであることを特徴とする請求項１に記載の記録装置。
【請求項３】
前記検出手段が複数の検出手段の組合せであり、複数の検出手段の出力毎にレベルを埋め込むことを特徴とする請求項１に記載の記録装置。
【請求項４】
前記分類されたレベルを最小単位（Ｇｒｏｕｐ  Ｏｆ  Ｐｉｃｔｕｒｅ）で記録することを特徴とする請求項１に記載の記録装置。
【請求項５】
記録された動画像を再生する手段を備え、前記記録された動画の再生時において、指定されたレベルより劣る最小単位の動画を再生対象から外すことを特徴とする請求項１に記載の記録装置。
【請求項６】
前記指定されたレベルより劣る最小単位の動画を省いた動画を自動生成し、記録媒体に記録することを特徴とする請求項１に記載の記録装置。
【請求項７】
前記分類された複数のレベルから単一のレベル指定する手段或いは、複数の検出手段毎に単一のレベルを指定する手段を備えることを特徴とする請求項１に記載の記録装置。
【発明の詳細な説明】
【技術分野】
【０００１】
本発明は、記録装置に関する。
【背景技術】
【０００２】
近年のデジタルカメラなどの画像記録再生装置では、音声付き動画を撮影記録及び、再生する様々な方式が採られる。従来通り、使用者が撮影記録の開始指示をしてから終了指示をするまで撮影し続ける方式や、撮影記録の開始指示から予め決められた時間だけ撮影記録する方式がある。
【０００３】
前者の方式で撮影された動画を再生する場合は、画像データ単位で再生し、後者の方式で撮影された動画を再生する場合には、複数の画像データから再生リストを作成して、その順序にしたがって連続して複数の動画を連続して再生する方式が採られている。
【０００４】
一方、近年の動画映像は個人で楽しむ他に、使用者間で交換し共有して楽しむことが一般化している。そうした中で共有に適した動画にするための編集は煩わしく、大変な作業となる。特に、撮影した動画の中には、手ブレや画角変化の激しさ或いは、撮影ミスによる不要と思われる画像があり、再生時に不快に感じるが、記録映像から容易に省けない。
【０００５】
特許文献１では、撮影時の場面変化を検出した場合にチャプターデータを埋め込み、再生時の場面検索に役立てる技術が提案されている。また、特許文献２では、再生時のチャプター指定の操作が煩わしいとして、特定の位置識別信号を検出し、以降の再生をミュートして次のチャプターの頭出しを行う技術が提案されている。
【先行技術文献】
【特許文献】
【０００６】
【特許文献１】特開２００８−１６０５６４号公報
【特許文献２】特開昭６３−７０９８９号公報
【発明の概要】
【発明が解決しようとする課題】
【０００７】
しかしながら、上述の特許文献１に開示された従来技術では、自動的にチャプターを分割するが、チャプターは一律で扱われ、再生時のチャプター送りは使用者が手動で行う必要がある。また、特許文献２に開示された従来技術には、位置識別信号の記録タイミングや記録位置指定に関する記述がなく、扱いが一律であるため動画編集には不向きである。
【０００８】
本発明の目的は、再生または編集時における不要と思われる画像を自動的に省くことを可能とすることである。
【課題を解決するための手段】
【０００９】
本発明の構成は、被写体像を形成する光学系と、該光学系により形成された光学像を電気信号に変換する撮像手段と、該撮像手段の出力を連続的に読み出して表示用画像及び、動画記録用画像を生成する動画画像生成手段と、前記表示用画像の一時記憶及び、前記記録用動画像を蓄積記憶する記憶手段と、表示用画像を表示する表示手段と、蓄積記憶した記録用動画像を記録媒体に記録する記録手段と、不要画像を検出する検出手段と、動画の撮影指示を行う撮影指示手段とを備え、表示用画像を生成して表示すると共に、動画撮影指示に応じて、記録用動画像を生成して蓄積記憶し、記録媒体に記録する画像記録再生装置において、前記検出手段の出力を所定レベルに分類し、記録する動画に所定の単位で前記分類されたレベルを埋め込んで記録することを特徴とする。
【発明の効果】
【００１０】
本発明によれば、再生または編集時における不要と思われる画像を自動的に省くことを可能とする。
【図面の簡単な説明】
【００１１】
【図１】記録装置のブロック図である。
【図２】三次元加速度センサの配置図である。
【図３】動画記録中におけるＡＦ動作のフローチャートである。
【図４】動画記録中におけるＡＥ動作のフローチャートである。
【図５】動画データ構造の模式図である。
【図６ａ】動画識別データのサンプリングタイミングチャートである。
【図６ｂ】イメージプロパティバッファの模式図である。
【図７】動画再生動作のフローチャートである。
【図８】識別データのレベルを決定するデータテーブルである。
【発明を実施するための形態】
【００１２】
以下、添付図面を参照して本発明を実施する最良の形態を詳細に説明する。
【実施例１】
【００１３】
図１は、本実施の形態に係る記録装置の構成を示すブロック図である。同図において、１００は装置本体、１１０は変倍レンズ、１１１はカメラのブレを補正するシフトレンズ、１１２は焦点調節用フォーカスレンズ、１１３は後段への光束を遮断するメカニカルシャッタ、１１４は後段への光束を調節する絞りである。１１５は撮像素子、１１６は撮像素子１１５を駆動及び、サンプリングに必要なタイミングパルスを発生するタイミング発生器である。
【００１４】
１１７は、撮像駆動用の同期信号を発生するＳＳＧ回路や、撮像出力となるデジタル出力を受信し、前処理回路、ＡＦ評価値演算回路、輝度積分回路、信号処理回路、顔検出回路、縮小回路、ラスタブロック変換回路及び、圧縮回路を含む画像処理部である。ＳＳＧ回路では、タイミング発生器から撮像駆動用のクロックを受けて、水平及び、垂直同期信号を発生し、タイミング発生器と撮像素子に出力する。前処理回路では、入力画像を行単位で輝度積分回路と信号処理回路とに分配する。また、撮像データに必要となるチャネル間のデータ補正等の処理を行う。
【００１５】
ＡＦ評価値演算回路では、設定された複数の評価領域内に入力される画像信号の輝度成分について水平方向のフィルタ処理を施し、コントラストをあらわす所定周波数を抽出しながら最大値を選択し、垂直方向に積分演算を行う。輝度積分回路では、ＲＧＢ信号から輝度成分を混合生成し、入力画像を複数領域に分割し、領域毎に輝度成分を生成する。信号処理回路では、撮像素子出力データに色キャリア除去、アパーチャー補正、ガンマ補正処理等を行って輝度信号を生成する。同時に、色補間、マトリックス変換、ガンマ処理、ゲイン調整等を施して色差信号を生成し、メモリ部１２３にＹＵＶ形式の画像データを形成する。また、信号処理回路では、生成するＹＵＶ形式の画像データの輝度信号（Ｙ）をそのレベル毎に集計し、画像データ毎の輝度分布データを生成する。
【００１６】
縮小回路では、信号処理回路の出力を受けて、入力される画素データの切り出し、間引き及び、線形補間処理等を行い、水平垂直方向に画素データの縮小処理を施す。それを受けて、ラスタブロック変換回路では、縮小回路で変倍されたラスタスキャン画像データをブロックスキャン画像データに変換する。こうした一連の画像処理は、メモリ部１２３がバッファメモリとして用いられて実現される。圧縮回路は、バッファメモリでブロックスキャンデータに変換したＹＵＶ画像データを動画圧縮方式に従って圧縮して、動画ビットストリームを出力する。
【００１７】
１１８はメカニカルシャッタ１１３、絞り１１４を制御する露出制御部である。１１８は変倍レンズ１１０、焦点調節レンズ１１２を光軸上に沿って移動させ、被写界像を撮像素子１１５上に結像させるレンズ制御部である。また、角速度センサと加速度センサの出力に応じてシフトレンズを駆動し、画像記録再生装置の手ブレを光学的に補正する。また、１２０は撮影指示を行うレリーズスイッチである。
【００１８】
１２７は入力された音声を音声信号に変換するマイクロフォン、１２８はマイクロフォンの音声出力をデジタル音声信号に変換するＡ／Ｄ変換器、１２９は、デジタル音声データに所定の音声処理を施し、音声ビットストリームを出力する音声処理部である。
【００１９】
これらの制御は、ＣＰＵとそのインターフェイス回路、ＤＭＡＣ（Ｄｉｒｅｃｔ・Ｍｅｍｏｒｙ・Ａｃｃｅｓｓ・Ｃｏｎｔｒｏｌｌｅｒ）、バスアービター等で構成されるシステム制御回路１２１で行われる。ＣＰＵが実行するプログラムは、フラッシュメモリ１２２に記憶されている。
【００２０】
１４２は電源となる電池、１３０と１４１は画像記録装置１００と電池１４２とを係合させる接続端子、１４０は画像記録装置１００に電池１４２を保持する電池ＢＯＸである。１３３は画像を記録する記録媒体、１２５と１３２は、画像記録装置１００と記録媒体１３３とを係合させる接続端子、１３４は記録媒体の書き込み禁止スイッチを検出するスイッチ、１２６は記録媒体１３３の着脱を検出する検出スイッチである。
【００２１】
１５０は画像処理部１１７で生成され、メモリ部１２３に記憶された画像データを表示用画像に変換してモニタに転送する再生回路、１５１は表示装置である。再生回路１５０では、ＹＵＶ形式の画像データを輝度成分信号Ｙと変調色差成分Ｃとに分離し、Ｄ／Ａ変換を行ったアナログ化されたＹ信号にＬＰＦを施す。また、Ｄ／Ａ変換を行ったアナログＣ信号にＢＰＦを施して変調色差成分の周波数成分のみを抽出する。こうして生成された信号成分とサブキャリア周波数に基づいて、Ｙ信号とＲＧＢ信号に変換生成して、モニタ１５１に出力される。このように、撮像素子からの画像データを逐次処理して表示することによってＥＶＦが実現される。
【００２２】
１８０は画像記録装置の垂直方向のシフトブレ及び、垂直方向の角度ブレを検出するための第一の加速度センサ対、１９０は画像記録装置の水平方向のシフトブレ及び、水平方向の角度ブレを検出する検出するための第二の加速度センサ対である。
【００２３】
第一の加速度センサ対には、第一と第二の二次元加速度センサで構成される。また、第二の加速度センサ対には、第三と第四の二次元加速度センサで構成される。
【００２４】
＜ブレ検出の説明＞
図２は、加速度センサ対で構成した三次元加速度センサの配置を示したものである。加速度センサ対を構成する第一乃至、第四の加速度センサは、それぞれ２つの感度軸を持つ。一方が光軸方向に一致するように固定され、他方が垂直方向または、水平方向に一致するように固定されることにより、光軸方向と垂直方向の加速度または、光軸方向と水平方向の加速度を検出する。
【００２５】
第一の加速度センサは光軸の真横に配置され、第二の加速度センサは第一の加速度センサと光軸に対して垂直な同一面上で且つ、第１の加速度センサに対して垂直方向に所定量ずらした位置に配置される。
【００２６】
また、第三の加速度センサは光軸の真下に配置され、第四の加速度センサは第三の加速度センサと光軸に対して水平な同一面上で且つ、第三の加速度センサに対して水平方向に所定量ずらした位置に配置される。
【００２７】
第一の加速度センサの出力であるＧ１信号及び、第二の加速度センサの出力であるＧ２信号は、システム制御回路１２１に入力される。システム制御回路１２１は入力されるＧ１信号とＧ２信号の差を時間軸方向に積分し、光軸に対して垂直方向の角度ブレ量と光軸方向の角度ブレ量を得る。また、Ｇ１信号及び、Ｇ２信号を時間軸方向に積分し、光軸に対する垂直方向のシフトブレ量を検出する。
【００２８】
同様に、第三の加速度センサの出力であるＧ３信号及び、第四の加速度センサの出力であるＧ４信号は、システム制御回路１２１に入力され、水平方向の角度ブレ量と光軸方向の角度ブレ量及び、シフトブレ量を検出する。
【００２９】
＜ＡＦ動作の説明＞
図３は、動画撮影記録中におけるＡＦ（自動焦点調節）動作のフローチャートである。このフローチャートを用いて、本実施例に係わるＡＦ動作を説明する。この動作もシステム制御回路１２１がフラッシュメモリ１２２に記憶されたプログラムをロードして実行することで実現する。
【００３０】
システム制御回路１２１のＣＰＵは、動作撮影記録を開始し（Ｓ３００）、定期的な評価値による合焦率判定を行う（Ｓ３０１）。合焦率が低いと判断された場合には、撮像に同期してフォーカスレンズを等速で移動する（Ｓ３０２）。最初の先頭行の露光が完了すると（Ｓ３０３）、後述する該当フレームＩＤのイメージプロパティ（画像情報）を取得し（Ｓ３０４）、評価値の積分を行う（Ｓ３０５）。焦点距離に応じた評価値サンプリング数分のスキャンが終了したかを判定し（Ｓ３０６）、スキャンが終了すると、上段、中段、下段それぞれの評価値枠の重心時刻を求める（Ｓ３０７）。各評価値枠の重心時刻にフォーカスレンズの位置を対応付け（Ｓ３０８）、所定のアルゴリズムで最も焦点の合った位置（合焦位置）にフォーカスレンズを移動させる（Ｓ３０９）。これらを動画記録が終了するまで続ける（Ｓ３１０）。
【００３１】
ＡＦ動作期間において、ＡＦ用のプログラムは評価用のデータを後述するイメージプロパティに出力する。
【００３２】
＜輝度レベル変化の説明＞
図４は、動画撮影記録中におけるＡＥ（自動露出制御）動作のフローチャートである。このフローチャートを用いて、本実施例に係わるＡＥ動作を説明する。この動作もシステム制御回路１２１がフラッシュメモリ１２２に記憶されたプログラムをロードして実行することで実現する。
【００３３】
システム制御回路１２１のＣＰＵは、動画撮影記録を開始し（Ｓ４００＝Ｓ３００）、画像処理部１１７の輝度積分回路に対し、入力画像を複数領域に分割し、領域毎に輝度成分を生成するための設定を行う（Ｓ４０１）。初期の露出制御を行い（Ｓ４０２）、この露出制御下での輝度積分が完了するのを待つ（Ｓ４０３）。輝度積分が完了すると、分割した領域毎の積分結果の評価演算を行い、適正露出からのずれ量を共に被写界輝度を求める（Ｓ４０４）。求められた被写界輝度に適合する露出制御値に基づいて次の露光タイミングの露出制御を行う（Ｓ４０５）。これらを動画記録が終了するまで続ける（Ｓ４０６）。
【００３４】
ＡＥ動作において、ＡＥ用のプログラムは積分結果から求めた適正露出からのずれ量をＢｖ値として後述するイメージプロパティに出力する。
【００３５】
＜動画撮影記録の説明＞
動画撮影記録を行うため、システム制御回路１２１は予めプログラミングされた動画撮影用の同期信号パターンを画像処理部１１７のＳＳＧ回路に設定する。ＳＳＧ回路は、タイミング発生回路１１６のクロックに基づいて、水平及び、垂直同期信号を出力する。撮像素子１１５は、これらの同期信号に基づいて生成されるタイミング発生器１１６の出力にしたがって駆動され、連続的に撮像して得られたデジタル画像データが画像処理部に取り込まれる。取り込まれた画像データは順次、先に説明した画像処理を受けて、表示用のＹＵＶデータと動画記録用のＹＵＶデータに変換される。圧縮部では、動画記録用のＹＵＶデータを圧縮して動画ビットストリームを出力する。システム制御回路１２１は、動画ビットストリームと音声ビットストリームから記録用の動画データをメモリに逐次蓄積しながら、順次記録媒体に記録する。
【００３６】
動画ビットストリームは、ヘッダー部と画像１５フレームを単位とするＧＯＰ（Ｇｒｏｕｐ  Ｏｆ  Ｐｉｃｔｕｒｅ）の集合で構成される。本実施例では、ヘッダー部のユーザー領域にＧＯＰ単位での動画識別データ（ＤＬＤ：Ｄｅｔｅｃｔ  Ｌｅｖｅｌ  Ｄａｔａ）を同時に記録する。
【００３７】
図５は、動画ビットストリームのデータ構造を示した模式図である。ＤＬＤは、ヘッダーのユーザー領域に記録され、ＧＯＰ毎の動画像の特徴を示す動画識別データとして記録される。ＧＯＰ毎の動画像の特徴を示すデータは、輝度変化レベル、ピントずれレベル、垂直方向のブレ量を時間軸方向に積分した垂直方向の振動レベル、水平方向のブレ量を時間軸方向に積分した水平方向の振動レベル、垂直方向の角度ブレを時間軸方向に積分した垂直方向の回転レベル、水平方向の角度ブレを時間軸方向に積分した水平方向の回転レベル、光軸方向の角度ブレを時間軸方向に積分した光軸方向の回転レベルで構成される。
【００３８】
ＤＬＤはこれらの特徴を示すデータと予め決められた閾値とで決定するグレード値として一義的に管理される。特徴を示すデータと図８に示すデータテーブルからグレードを決定し、ＤＬＤとして動画のヘッダーに記録する。
【００３９】
グレードは１から５に分類され、１が最も良くなく、５が最も良いグレードとしてＧＯＰが分類される。特徴を示すデータの夫々について比較し何れのグレードに当たるか決定し、最も良くいグレードがそのＧＯＰのグレードとして決定する。したがって、各項目のグレードを比較している途中でグレード１があれば、そのＧＯＰのグレードは１と決定される。
【００４０】
＜ＤＬＤサンプリングの説明＞
図６ａは、動画識別データのサンプリングタイミングチャートである。また、図６ｂは、動画識別データを動画記録時までハンドリングするためのイメージプロパティバッファの模式図である。システム制御部１２１内のＣＰＵは、予め動画記録までに必要な複数枚のデータをメモリ部１２３に確保している。本実施例では、ＧＯＰが１５フレームであるため、１７フレーム以上確保している。
【００４１】
システム制御部１２１内部のＣＰＵは、画像処理部１１７のＳＳＧ回路の垂直同期信号と同期する割り込み信号を受けて、撮像素子１１５駆動し画像データが得られる直前の露光フレームから連続するフレームＩＤを発行する。フレームＩＤの発行は垂直同期信号近傍の画像読み出しタイミング付近で行われると共に、ＣＰＵはイメージプロパティバッファから１つのバッファを取り出してフレームＩＤを割り当てる。
【００４２】
まず、Ｔ１のタイミングでＣＰＵは第一のフレームのＩＤを発行し、イメージプロパティバッファから１フレーム分のデータ領域を獲得し、第一のフレーム用として割り当てる。
【００４３】
第一のフレーム期間では、撮像の同期信号とは非同期でサンプリングされるデータ即ち、垂直方向の振動レベル、水平方向の振動レベル、垂直方向の回転レベル、水平方向の回転レベル、光軸方向の回転レベルが積分され、次のフレームＩＤが発行されるタイミング（Ｔ２）で、ＣＰＵが第一のフレーム用のイメージプロパティに格納する。
【００４４】
次に、Ｔ２のタイミングでＣＰＵが第二のフレームのＩＤを発行し、イメージプロパティバッファから１フレーム分のデータ領域を獲得し、第二のフレーム用として割り当てる。
【００４５】
第二のフレーム期間では、第一のフレーム期間と同様に、撮像と非同期でサンプリングされるデータが第二のフレーム用のデータとして積分されると共に、先に説明したＡＥプログラムとＡＦプログラムが撮像素子１１５から読み出した画像データに基づく評価値を第一のフレーム用のイメージプロパティ書き出される。また、撮像素子１１５から読み出された画像データは動画用データにエンコードされる。
【００４６】
次に、Ｔ３のタイミングでＣＰＵは第三のフレームのＩＤを発行し、イメージプロパティバッファから１フレーム分のデータ領域を獲得し、第三のフレーム用として割り当てる。
【００４７】
第三のフレーム期間では、第二のフレーム期間と同様に、撮像と非同期でサンプリングされるデータが第三のフレーム用データとして積分されると共に、ＡＥプログラムとＡＦプログラムが評価値を第二のフレーム用のイメージプロパティに書き出す。また第二フレームで露光されて第三フレームで読み出された画像データが動画データにエンコードされる。更に、第一のフレーム用のイメージプロパティに書き込まれているデータから各項目について、ＧＯＰ単位ＤＬＤの素として１５フレーム内の最大値と最小値を保持する。Ｔ３のタイミングでは第一のフレームのデータのみなので、全ての項目の最大値と最小値は、第一フレームの該当データが入力される。
【００４８】
動画記録中、上記動作が繰り返し行われる。そして、Ｔ１７タイミングに代表されるＧＯＰの最終フレームのイメージプロパティが確定するタイミングで、ＣＰＵは最終的なＧＯＰ単位のＤＬＤの要素を確定させる。具体的には、垂直方向の振動レベル、水平方向の振動レベル、垂直方向の回転レベル、水平方向の回転レベル及び、光軸方向の回転レベルをそれぞれ１５フレーム内の最大値、輝度変化レベルとピントずれレベルは、１５フレーム内の最大値と最小値の差分を該当ＧＯＰのＤＬＤ要素として確定させる。そして、先に説明した図８に示したデータテーブルと各特徴データを比較して該当ＧＯＰのＤＬＤを決定し、動画のヘッダーに記録する。以降のＤＬＤ生成から記録に関する動作は同様である。
【００４９】
このようにして、動画ヘッダーには、ＧＯＰ単位でＧＯＰ内１５フレーム内における装置の各種振動、回転、輝度変化、ピントずれのレベルから決定するグレードデータが識別データとして記録される。
【００５０】
＜動画再生時の動作＞
図７は、動画再生時の動作を示すフローチャートである。このフローチャートを用いて、本実施例に係わる動画再生の動作を説明する。この動作もシステム制御回路１２１がフラッシュメモリ１２２に記憶されたプログラムをロードして実行することで実現する。
【００５１】
図７の再生メインフローでは、まず記録媒体１３３に記録された動画のヘッダーをシステム制御回路１２１が読み出してメモリ部１２３に展開する（Ｓ７０１）。メモリ部１２３に展開された動画ヘッダーのユーザー領域に記録されたＤＬＤからＧＯＰ毎のグレード読み出し（Ｓ７０２）、予め決定している再生基準グレードより小さいグレード値を持つＧＯＰであると判定されると（Ｓ７０３）、該当ＧＯＰを再生リストから外す（Ｓ７０４）。
【００５２】
全てのＧＯＰについてグレード判定を行い（Ｓ７０２乃至、Ｓ７０５）、再生するＧＯＰのリストを自動的に作成する。その後、再生指示に応じて（Ｓ７０６）作成したリストに従って再生を行う（Ｓ７０７）。
【００５３】
グレード判定を行うプログラムは、予め再生基準グレードを予め決定している。再生基準グレードの設定の詳細説明は割愛するが、表示装置にＧＵＩ表記などして、ユーザーに操作部材でグレードを選択されることも可能である。ユーザーが設定しない場合には、プログラムが記憶するデフォルトのグレードが選択される。本実施例では、グレード３がデフォルトの再生基準グレードである。
更に、上記シーケンスで作成した再生リストを利用して、ユーザーが選択したグレードを除外した動画を新たに動画ファイルとして記録媒体に新規で記録する或いは、上書き保存することにより、煩わしい編集なしに最適な動画を得ることができる。
【００５４】
尚、本実施例では、記録時にＤＬＤとして各特徴要素からグレードに一義的に分類し、再生時にグレードで再生するＧＯＰを選択したが、記録時にＤＬＤとして特徴要素をそのまま記録し、再生時に特長要素毎にグレード選択設定して、振動や回転のひどいＧＯＰだけを再生から外したり、ピントの甘いＧＯＰだけを外したり再生時のＧＯＰ選択に幅を持たせてもよい。煩わしい編集なしの動画記録についても同様である。
【００５５】
以上のように、記録時にフレーム毎の特徴からＧＯＰ単位の画像の品位を特徴付けるデータを抽出して記録することにより、再生時に不要と思われるシーンを自動的に分類して再生対象から外し、快適な動画のみを再生することが可能となる。また、同様にして煩わしい編集作業することなく快適な動画のみで構成されるファイルを記録しなおすことが可能となる。更に、快適な動画を決定付けるレベルを使用者が容易に決定し、再生若しくは、動画として残したいシーンを選択できる。
以上、本発明の好ましい実施形態について説明したが、本発明はこれらの実施形態に限定されず、その要旨の範囲内で種々の変形及び変更が可能である。
【符号の説明】
【００５６】
１００  装置本体、１１０  変倍レンズ、１１１  シフトレンズ、
１１２  焦点調節用フォーカスレンズ、１１３  メカニカルシャッタ、１１４  絞り、
１１５  撮像素子、１１６  タイミング発生器
【図１】
2016009968.tif 000003
【図２】
2016009968.tif 000004
【図３】
2016009968.tif 000005
【図４】
2016009968.tif 000006
【図５】
2016009968.tif 000007
【図６ａ】
2016009968.tif 000008
【図６ｂ】
2016009968.tif 000009
【図７】
2016009968.tif 000010
【図８】
2016009968.tif 000011